(57)【要約】      （修正有）【課題】構造の複雑化を招くことなく、扱室内部のメンテナンス作業を容易に行えるコンバインを提供する。【解決手段】扱室２３内で刈取穀稈を脱穀処理する脱穀装置４が備えられ、扱室２３に、前後軸芯Ｘ周りで回転する扱胴３４と、扱胴３４の外周部に沿う状態で設けられた円弧状の受網５４，５５とが備えられ、扱室２３の上部を覆う天板３０が、横方向に沿って着脱可能に支持されている。【選択図】図７
2020018180.tif 000002
【特許請求の範囲】
【請求項１】
扱室内で刈取穀稈を脱穀処理する脱穀装置が備えられ、
前記扱室に、前後軸芯周りで回転する扱胴と、前記扱胴の外周部に沿う状態で設けられた円弧状の受網とが備えられ、
前記扱室の上部を覆う天板が、横方向に沿って着脱可能に支持されているコンバイン。
【請求項２】
前記天板は、前記扱胴の回転軸芯方向に沿って分割された複数の分割天板により構成され、
前記複数の分割天板が各別に横方向に沿って着脱可能であり、
前記複数の分割天板同士の分割境界部に、前記脱穀装置の横方向一方側部分から他方側部分に亘って延びる支持フレームが備えられ、
前記複数の分割天板は、前記支持フレームに支持されている請求項１に記載のコンバイン。
【請求項３】
前記複数の分割天板の夫々が、前記扱胴の周方向に沿って分割された複数の天板構成体に分割可能であり、
横方向一方側に位置する前記天板構成体は、横方向一方側から着脱可能に前記支持フレームに支持され、
横方向他方側に位置する前記天板構成体は、横方向に沿って抜き差し可能に、前記支持フレームに備えられたレール部により支持されている請求項２に記載のコンバイン。
【請求項４】
前記脱穀装置の上方に、前記脱穀装置にて脱粒処理されたあとの穀粒を貯留する穀粒タンクと、動力源としてのエンジンとが備えられ、
前記脱穀装置の横方向両側部において、複数の前記支持フレームの上部同士に亘って前記回転軸芯方向に沿って延びる上部フレームが備えられ、
左右の前記上部フレームにより前記穀粒タンクと前記エンジンとが支持されている請求項２又は３に記載のコンバイン。
【請求項５】
前記受網が、前記扱胴の回転軸芯方向に沿って分割された複数の分割受網により構成され、
前記脱穀装置の側壁が、前記回転軸芯方向に沿って分割された複数の分割壁により構成され、
前記分割受網及び前記分割壁が夫々、横方向に沿って着脱可能に支持されている請求項１から４のいずれか１項に記載のコンバイン。
【請求項６】
前記分割受網及び前記分割壁は、前記天板と同じ位置で前記回転軸芯方向に沿って分割され、且つ、前記天板と同じ方向に向けて着脱可能である請求項５に記載のコンバイン。
【請求項７】
前記扱室に、前記天板の内面側に前記扱胴の回転軸芯方向に沿って間隔をあけて、脱穀処理物を前記扱胴の回転軸芯方向一方側から他方側に向けて移送する複数の送塵弁が備えられ、
前記複数の送塵弁の夫々に、前記天板に位置固定状態で取り付けられた固定送塵弁部分と、前記固定送塵弁部分と周方向に隣り合い、且つ、揺動によって送り角度を変更調節可能な可動送塵弁部分とが備えられている請求項１から６のいずれか１項に記載のコンバイン。
【発明の詳細な説明】
【技術分野】
【０００１】
本発明は、刈取穀稈を脱穀処理する脱穀装置が備えられているコンバインに関する。
【背景技術】
【０００２】
従来のコンバインでは、例えば、特許文献１に示されるように、脱穀装置の点検や清掃を行うために、扱室の上部を覆う天板が横方向一端側の前後軸芯周りで上方に向けて揺動開放可能に設けられたものがあった。特許文献１に記載されたコンバインでは、脱穀処理して得られた穀粒を貯留する穀粒タンクが脱穀装置の上方に位置する状態で備えられている。
【先行技術文献】
【特許文献】
【０００３】
【特許文献１】特開２０１３−１８３７１７号公報
【発明の概要】
【発明が解決しようとする課題】
【０００４】
上記従来構成のように、天板を上方に揺動させて扱室を外方に向けて開放させる構成では、脱穀装置の点検や清掃等のメンテナンス作業を行うにあたり、天板を上方に大きく揺動させるために、上方側に大きなスペースが必要となる。特に、脱穀装置の上方に穀粒タンクを配備する構成であれば、穀粒タンクを大きく開放させるための機構が必要であり、構造が複雑になる不利がある。又、天板を揺動させるために、作業者が高いところに登らなければならず、作業が行い難いものとなる不利もある。
【０００５】
そこで、構造の複雑化を招くことなく、扱室内部のメンテナンス作業を容易に行えるようにすることが望まれていた。
【課題を解決するための手段】
【０００６】
本発明に係るコンバインの特徴構成は、扱室内で刈取穀稈を脱穀処理する脱穀装置が備えられ、前記扱室に、前後軸芯周りで回転する扱胴と、前記扱胴の外周部に沿う状態で設けられた円弧状の受網とが備えられ、前記扱室の上部を覆う天板が、横方向に沿って着脱可能に支持されている点にある。
【０００７】
本発明によれば、扱室内部の点検や清掃等のメンテナンス作業を行うときには、扱室の上部を覆う天板を横方向に沿って着脱させることで対応できる。この構成であれば、天板を上方に揺動させる場合のように、作業者が高い位置まで登ることなく、機体横側の低い位置から作業を行える。又、例えば、脱穀装置の上方に穀粒タンクを配置させるようにしても、天板を開放させるために、穀粒タンクに特別な退避用の構造を備える必要はなく、支持構造を簡素なものにできる。
【０００８】
従って、構造の複雑化を招くことなく、扱室内部のメンテナンス作業を容易に行えるようにすることが可能となった。
【０００９】
本発明においては、前記天板は、前記扱胴の回転軸芯方向に沿って分割された複数の分割天板により構成され、前記複数の分割天板が各別に横方向に沿って着脱可能であり、前記複数の分割天板同士の分割境界部に、前記脱穀装置の横方向一方側部分から他方側部分に亘って延びる支持フレームが備えられ、前記複数の分割天板は、前記支持フレームに支持されていると好適である。
【００１０】
本構成によれば、分割された分割天板は天板全体に比べて小型軽量となるから、着脱作業の労力負担を軽減することができる。複数の分割天板を支持する支持フレームは、分割境界部に横方向一方側部分から他方側部分に亘って延びるものであるから、分割天板を横方向に沿って着脱させる際に邪魔になることがなく、しかも、分割天板と支持フレームとの取付け作業や取り外し作業が行い易いものになる。
【００１１】
本発明においては、前記複数の分割天板の夫々が、前記扱胴の周方向に沿って分割された複数の天板構成体により構成され、横方向一方側に位置する前記天板構成体は、横方向一方側から着脱可能に前記支持フレームに支持され、横方向他方側に位置する前記天板構成体は、横方向に沿って抜き差し可能に、前記支持フレームに備えられたレール部により支持されていると好適である。
【００１２】
本構成によれば、分割天板をさらに周方向に沿って分割するので、より一層の軽量化が図れ、着脱作業の労力負担を軽減する。横方向一方側に位置する天板構成体は、機体の横方向一方側外方の作業者に近い位置にあるので、そのまま着脱させることができる。横方向他方側、言い換えると、内奥側に位置する天板構成体は、レール部によって支持され、横方向に沿って抜き差し可能であるから、機体の横方向一方側外方の作業者は、手を伸ばして抜き差しすることが可能である。差し込み装着したのちは、レール部を介して支持フレームにより安定的に支持することができる。
【００１３】
本発明においては、前記脱穀装置の上方に、前記脱穀装置にて脱粒処理されたあとの穀粒を貯留する穀粒タンクと、動力源としてのエンジンとが備えられ、前記脱穀装置の横方向両側部において、前記複数の支持フレームの上部同士に亘って前記回転軸芯方向に沿って延びる上部フレームが備えられ、左右の前記上部フレームにより前記穀粒タンクと前記エンジンとが支持されていると好適である。
【００１４】
本構成によれば、脱穀装置の上方に、穀粒タンクとエンジンとが備えられる。例えば、脱穀処理能力を向上させるために脱穀装置が大型化しても、穀粒タンクやエンジンを脱穀装置の横側方に位置させる場合に比べて、機体全体の横幅方向の寸法の大型化を抑制できる。そして、天板を分割するために複数備えられる支持フレームを利用して左右の上部フレームが安定的に支持され、そのような左右の上部フレームにより、脱穀装置の上方の高い位置にある穀粒タンクとエンジンとを良好に支持することができる。
【００１５】
本発明においては、前記受網が、前記扱胴の回転軸芯方向に沿って分割された複数の分割受網により構成され、前記脱穀装置の側壁が、前記回転軸芯方向に沿って分割された複数の分割壁により構成され、前記分割受網及び前記分割壁が夫々、横方向に沿って着脱可能に支持されていると好適である。
【００１６】
本構成によれば、受壁及び側壁が分割されるので、天板だけでなく、受網及び側壁についても、小型軽量化が図れ、着脱作業の労力負担を軽減することができる。
【００１７】
本発明においては、前記天板は、前記回転軸芯方向に沿って分割された複数の分割天板により構成され、前記分割受網及び前記分割壁は、前記天板と同じ位置で前記回転軸芯方向に沿って分割され、且つ、前記天板と同じ方向に向けて着脱可能であると好適である。
【００１８】
本構成によれば、分割天板、分割受網及び分割壁が同じ位置で分割されるので、それらの着脱作業を煩わしさなく効率よく行うことが可能である。その結果、扱室内部のメンテナンス作業をより一層容易に行えるものとなる。
【００１９】
本発明においては、前記扱室に、前記天板の内面側に前記扱胴の回転軸芯方向に沿って間隔をあけて、脱穀処理物を前記扱胴の回転軸芯方向一方側から他方側に向けて移送する複数の送塵弁が備えられ、前記複数の送塵弁の夫々に、前記天板に位置固定状態で取り付けられた固定送塵弁部分と、前記固定送塵弁部分と周方向に隣り合い、且つ、揺動によって送り角度を変更調節可能な可動送塵弁部分とが備えられていると好適である。
【００２０】
本構成によれば、送塵弁のうち固定送塵弁部分は天板に位置固定で取り付けられるので、天板の形状に制約を受けることがない。そこで、固定送塵弁部分が取り付けられえる箇所では、天板の形状として、扱胴の回転に伴う脱穀処理物の持ち回り移送が円滑に行えるような形状にさせることが可能である。そして、送塵弁のうち固定送塵弁部分と周方向に隣り合う可動送塵弁部分の送り角度を変更させることにより、扱胴の回転軸芯方向に沿う搬送処理能力を変更させることが可動である。
【００２１】
その結果、固定送塵弁部分によって、扱胴の回転に伴う脱穀処理物の移送を円滑に行えるようにしながら、可動送塵弁部分によって、脱穀装置に搬入される作物の量の変化に応じて、送塵弁の送り角度を調節することにより、作物の量の変動にかかわらず脱粒性能が低下する不利を解消させやすいものになる。
【図面の簡単な説明】
【００２２】
【図１】コンバインの全体側面図である。
【図２】コンバインの全体平面図である。
【図３】脱穀装置の支持構造を示す側面図である。
【図４】脱穀装置の正面図である。
【図５】脱穀入口プレート配設部の正面図である。
【図６】脱穀入口プレートの連結状態を示す断面図である。
【図７】脱穀装置の縦断正面図である。
【図８】脱穀装置の要部の縦断正面図である。
【図９】天板支持構造を示す縦断側面図である。
【図１０】送塵弁の取付状態を示す平面図である。
【図１１】天板を下側から見た底面図である。
【図１２】分割天板と分割壁の一部を取り外した状態の脱穀装置の側面図である。
【発明を実施するための形態】
【００２３】
以下、図面に基づいて、本発明に係るコンバインの実施形態を普通型コンバインに適用した場合について説明する。
【００２４】
〔全体構成〕
図１，２に示すように、コンバインは、作物を刈り取って後方に搬送する刈取搬送部１、キャビン２にて覆われた運転部３、刈取搬送部１にて刈り取られた作物の脱穀処理を行う脱穀装置４、その脱穀装置４にて脱穀処理されて得られた穀粒を貯留する穀粒タンク５、動力源としてのエンジン６を有する原動部７、操向不能で且つ回転駆動される左右一対の前車輪８、操向操作可能な左右一対の後車輪９等を備えている。穀粒タンク５の左側には、貯留している穀粒を機体外部に搬送するスクリューコンベア式の穀粒排出装置Ｈが備えられている。
【００２５】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。
【００２６】
刈取搬送部１は、機体の前部において、昇降用アクチュエータとしての刈取昇降シリンダ１０により横向き支点Ｐ１周りで駆動昇降自在に支持されている。刈取搬送部１は、植立する作物を刈り取り、刈り取った作物を刈幅方向の中央部に寄せ集める刈取ヘッダ１１と、刈り取られて中央に寄せ集められた作物を機体後方の脱穀装置４に向けて搬送するフィーダ１２とを備えている。
【００２７】
刈取ヘッダ１１には、刈取対象となる作物の穂先側を後方に向けて掻込む回転リール１３、作物の株元を切断して刈り取るバリカン型の刈刃１４、刈り取った作物を刈幅方向の中央部に寄せ集める横送りオーガ１５等が備えられている。
【００２８】
フィーダ１２は、図示はしないが、筒状の搬送ケース１６内に、前後の輪体にわたって左右一対の無端回動チェーンが巻回張設され、各無端回動チェーンにわたり複数の係止搬送体を架設した搬送コンベアが備えられ、刈取ヘッダ１１から受け渡された作物を後方上方に向けて搬送するように構成されている。
【００２９】
脱穀装置４は、機体左右方向中央部の低い位置にあり、脱穀装置４の上方において、機体前部側に穀粒タンク５が位置し、機体後部側に動力源としてのエンジン６が位置する状態で、穀粒タンク５とエンジン６とが前後方向に並ぶ方向で備えられている。脱穀装置４の左右両側外方側が外装カバー１７によって覆われている。詳述はしないが、外装カバー１７は、上部側箇所が前後方向に沿う枢支部１８により揺動開閉自在に支持され、手動操作により解除可能な係合式ロック機構１９により閉状態で位置保持可能に構成されている。
【００３０】
図１，３に示すように、機体下部には、機体前後方向に延びる左右一対の主フレーム２０が備えられている。左右の主フレーム２０は機体全体を支持しており、主フレーム２０が機体フレームに相当する。
【００３１】
左右の主フレーム２０は、断面形状が略Ｃ形のチャンネル材にて構成され、機体前部から機体後部にわたって前後方向に長く設けられている。左右の主フレーム２０よりも低い位置に左右の前車輪８及び左右の後車輪９の車軸８ａ，９ａが備えられている。左右の前車輪８及び左右の後車輪９は、左右の主フレーム２０夫々の機体左右方向外方側に位置する状態で備えられ、左右の主フレーム２０は左右の前車輪８及び左右の後車輪９に支持されている。
【００３２】
〔脱穀装置〕
次に、脱穀装置４について説明する。
図３，４，７に示すように、脱穀装置４には、脱粒処理を行う脱穀部２１と、脱穀部２１による脱粒処理が行われた後の処理物を選別処理する選別部２２とが備えられている。図７に示すように、脱穀部２１の内部に、刈取穀稈の扱き処理が行われる扱室２３が形成されている。選別部２２は、詳述はしないが、矩形状態の周壁部に囲われた内部の空間に、脱粒処理が行われた後の処理物を揺動移送しながら穀粒、枝付き穀粒等の二番物、及び、排ワラ屑等に選別するための選別処理部２４（図７参照）が備えられている。図１に示すように、脱穀装置４の機体後方側には、脱穀装置４にて脱穀処理された後の脱穀処理物（排ワラ屑等）を細断処理する細断処理装置２５が備えられている。
【００３３】
図３，４，７に示すように、脱穀部２１は左右の主フレーム２０に載置支持されている。脱穀部２１は、上下方向に沿って延びる左右の縦向き支持部としての板状の左右の側壁部２６，２７、左右の側壁部２６，２７の後端部同士を連結する略板状の後壁部２８、左右の側壁部２６，２７の前端部同士を連結する略板状の前壁部２９、左右の側壁部２６，２７に亘って延びて上部を覆う天板３０等により、周囲が囲われた構成となっている。前壁部２９と後壁部２８には、脱穀処理物が通過するための開口が形成されている。
【００３４】
脱穀部２１は、機体前部側が上下方向に幅狭であり、機体後部側ほど上下方向に幅広となるように構成されている。そして、下端部が前後方向に沿って略水平姿勢で延びる主フレーム２０に載置されている。従って、脱穀部２１の上端部は後部側ほど高い位置になる後上がり傾斜姿勢となっている。
【００３５】
図７に示すように、左右の側壁部２６，２７のうち右側に位置する右側壁部２６は、上下方向に一連に連なる形状となっている。左側に位置する左側壁部２７は、図３に示すように、機体前部側が上下方向に幅狭であり、機体後部側ほど上下方向に幅広となるように側面視略三角形状に形成された下部側壁部３１と、前後方向に沿って略同一幅の上部側壁部３２とが備えられている。
【００３６】
右側壁部２６は、下端部が主フレーム２０の上面に載置された状態で、主フレーム２０にボルト連結されている。左側壁部２７のうち下部側壁部３１は、下端部が主フレーム２０の上面に載置された状態で、主フレーム２０にボルト連結されている。左側壁部２７のうち上部側壁部３２は、下端部が下部側壁部３１の上端部に載置された状態でボルト連結されている。図７，８に示すように、上部側壁部３２の上端部は固定ブラケット３３にボルト連結されている。
【００３７】
図３，７，８，１０に示すように、扱室２３には、機体前後方向に沿う軸芯Ｘ周りで回転する扱胴３４が備えられ、扱胴３４の下方側に、扱胴３４の外周部に沿うように正面視で略円弧状に形成された受網３５が備えられている。扱室２３では、機体前部側から刈取穀稈が投入され、扱胴３４と受網３５とによって脱粒処理が行われる。扱胴３４は、回転軸芯Ｘが機体後側ほど順次高くなるように斜め姿勢となるように後上がり傾斜姿勢で配備されている。受網３５も扱胴３４と同様に、側面視で後上がり傾斜姿勢で配備されている。
【００３８】
〔天板の分割構造〕
図３，４に示すように、天板３０は、扱胴３４の回転軸芯方向に沿って分割された複数の分割天板３６により構成されている。そして、複数の分割天板３６同士の分割境界部３７の夫々に脱穀装置４の横方向一方側部分から他方側部分に亘って横方向に延びる支持フレーム３８が備えられている。支持フレーム３８は、縦向き姿勢の板状体にて構成され、具体的には６個設けられている。６個の支持フレーム３８によって仕切られる状態で分割された５個の分割天板３６が各別に横方向に沿って着脱可能に設けられている。
【００３９】
図７，８に示すように、扱室２３の上方を覆う天板３０、具体的には、複数の分割天板３６の夫々は、扱胴３４の外端部の回転軌跡に略沿うように、正面視で略湾曲状に設けられている。そして、各分割天板３６は、扱胴３４の周方向に沿って分割された２個の天板構成体３９，４０により構成されている。２個の天板構成体３９，４０のうち右側半分に相当する右側天板構成体３９は滑らかな円弧状に形成されている。左側半分に相当する左側天板構成体４０は、平板状の板体を２箇所で屈曲させ、３つの平板状部分を有する形状となっている。
【００４０】
右側天板構成体３９は、右側端部が支持フレーム３８に固定されている固定ブラケット４１にボルト連結されている。右側天板構成体３９は、前後両側部が支持フレーム３８の側面に備えられた円弧状のレール部４２によって位置保持される構成となっている。図８，９に示すように、レール部４２は、内周側の内側レール部４２ａと、外周側の外側レール部４２ｂとを有し、右側天板構成体３９の端部を内側レール部４２ａと外側レール部４２ｂとによって挟んだ状態でスライド移動可能に支持されている。
【００４１】
右側天板構成体３９の左側端部には、外方に向けて略Ｌ型に折り曲げて、左側天板構成体４０の端部を受け止めるとともに、接当部材４３によって上方から接当規制される係止部３９ａが形成されている。図４に示すように、接当部材４３は、５個の分割天板３６の夫々に亘って上方から接当するように前後方向に沿って長く延びる状態で設けられ、６個の支持フレーム３８にボルトによって固定されている。
【００４２】
図７，８に示すように、左側天板構成体４０は、前後両側端部に縦向き姿勢の取付面４０ａが形成されており、取付面を支持フレーム３８に当てつけた状態で複数箇所をボルト連結して支持フレーム３８に固定される。支持フレーム３８に対して前後両側に位置する左側天板構成体４０同士は、支持フレーム３８を挟んでボルトによって共締め連結する状態で固定されている。左側天板構成体４０の左外方側端部は、固定ブラケット３３にボルト連結されている。
【００４３】
図１０に示すように、扱胴３４には、前端側に位置して刈取穀稈を掻き込む掻き込み部４４と、掻き込み部４４の後方側に位置して刈取穀稈を扱き処理する扱き処理部４５とが備えられている。掻き込み部４４は、フィーダ１２から送り込まれる刈取穀稈を、螺旋羽根４６によって扱室２３内に掻き込むように構成されている。扱き処理部４５は、周方向に間隔をあけて複数の棒状部材４７が備えられ、各棒状部材４７に径方向外方に突出するように複数の棒状の扱き歯４８を備えた構成となっている。
【００４４】
天板３０のうち扱き処理部４５に対応する５個の分割天板３６が横方向に沿って着脱可能に設けられている。扱胴３４の掻き込み部４４に対応する上部面４９は、周方向に一連に連なる形状となっており、横方向に沿って着脱することはできない。この領域には、受網３５が存在せず、メンテナンス作業の頻度が少ないからである。
【００４５】
上記構成の天板３０は、機体横方向一方側の一例としての機体左側に向けて外方に取り外すことができる。天板３０を取り外すときは、先ず、左側天板構成体４０の支持フレーム３８に対するボルト連結を解除して、機体左側外方に取り外すことができる。次に、右側天板構成体３９の固定ブラケット４１に対するボルト連結を解除する。このとき、右側壁部２６における適宜箇所に形成されている開口を通して作業を行う。ボルト連結を解除したのち、機体左側外方に向けてレール部４２に沿ってスライド移動させて左側外方に抜き外すことができる。
【００４６】
〔側壁部の分割構造〕
図３に示すように、左側壁部２７における上部側壁部３２は、側面視で扱胴３４の下側部分及び受網３５に対応する位置に設けられている。この上部側壁部３２は、扱胴３４の回転軸芯方向に沿って分割された複数の分割壁５１により構成されている。分割壁５１は夫々、横方向に沿って着脱可能に支持されている。
【００４７】
分割壁５１は、回転軸芯方向に沿って天板３０と同じ位置で分割されており、且つ、天板３０と同じ方向に、すなわち、機体左側に向けて着脱可能である。説明を加えると、上述したように、分割壁５１（上部側壁部３２）は、上下両側部がボルト連結されているので、それらのボルト連結を解除することにより、左側外方に取り外すことができる。尚、図３，４に示すように、脱穀装置４の左横側部には、主フレーム２０から立設される状態で前後一対の縦向きフレーム５２が備えられているが、縦向きフレーム５２とそれに横方向に隣接する分割壁５１との間には隙間が形成されており、その隙間を通して分割壁５１を取り外すことができる。
【００４８】
〔受網の分割構造〕
受網３５が、扱胴３４の回転軸芯方向に沿って分割された複数の分割受網５３により構成されている。分割受網５３は、横方向に沿って着脱可能に支持されている。受網３５は、扱胴３４の回転軸芯方向に沿って天板３０と同じ位置で分割されており、且つ、天板３０と同じ方向に、すなわち、機体左側に向けて着脱可能である。
【００４９】
受網３５は、５個の分割天板３６のうち前部側に位置する４個の分割天板３６に相当する箇所に設けられており、４個の分割受網５３が備えられている。受網３５は、扱胴３４の外端部の回転軌跡に略沿うように、正面視で略湾曲状に設けられている。そして、図７に示すように、各分割受網５３は、扱胴３４の周方向に沿って分割された２個の受網構成体５４，５５により構成されている。
【００５０】
右側の受網構成体５４は、支持フレーム３８の前後側面に取り付けられた円弧状のガイド部材５６によって受止め案内され、且つ、右側端部が右側の固定ブラケット４１に当て付ける状態で支持されている。そして、左側端部が左右の受網構成体５４，５５の接続箇所に設けられた中継ブラケット５７にボルト連結されている。左側の受網構成体５５は、右側端部が中継ブラケット５７にボルト連結され、左側端部が左側の固定ブラケット３３にボルト連結されている。また、左右中間部が支持フレーム３８に対してボルト連結されている。支持フレーム３８に対する連結箇所は支持フレーム３８を挟んで隣接する受網構成体５５と共締め固定されている。
【００５１】
従って、左側の受網構成体５５は、複数のボルトによる連結を解除することで左側外方に取り外すことができる。左側の受網構成体５５を取り外したのちに、中継ブラケット５７に対するボルト連結を解除することで、右側の受網構成体５４を取り外すことができる。
【００５２】
図５に示すように、扱胴３４の掻き込み部４４に対応する機体前部側箇所であり、上部面４９の下方側に対応する箇所には、フィーダ１２により搬送される刈取穀稈を扱室２３の入口に案内する脱穀入口プレート５９が備えられている。脱穀入口プレート５９は、扱胴３４の掻き込み部４４の左右両側部を覆う側面部分６０と、フィーダ１２の搬出口から扱胴３４の径に徐々に広がる形状に形成される底面部分６１とが備えられている。底面部分６１は、左右方向中央部の分離面にて分割されている。
【００５３】
従って、脱穀入口プレート５９は、左右両側の側面部分６０と、左右の底面部分６１とに４分割される構成となっている。そして、左側の側面部分６０と左側の底面部分６１とが一部重なり合った状態でボルト連結されている。右側の側面部分６０と右側の底面部分６１とが一部重なり合った状態でボルト連結されている。図６に示すように、ボルトＢｏの頭部には、六角レンチが係合できる六角孔が形成されている。尚、左右両側の側面部分６０と上部面４９とはフランジ接続にてボルト連結されている。脱穀入口プレート５９は、作物の流れによって摩耗した場合であっても、ボルト連結を解除することで容易に取り外すことができる。左右の側面部分６０は横側方に取り外し、左右の底面部分６１は、フィーダ１２を外した状態で機体前部側に向けて取り外すことができる。
【００５４】
〔穀粒タンク、エンジンの支持構造〕
図４，７，１２に示すように、脱穀装置４の横方向両側部において、複数の支持フレーム３８の上部同士に亘って扱胴３４の回転軸芯方向（機体前後方向）に沿って延びる上部フレーム６２が備えられている。上部フレーム６２は後上がり傾斜姿勢に構成され、上面が左右方向に幅広となるように構成されている。そして、この左右の上部フレーム６２に、穀粒タンク５及びエンジン６が載置支持されている。脱穀装置４の左横側部には、主フレーム２０から立設される状態で前後一対の縦向きフレーム５２が備えられている。
【００５５】
図３に示すように、穀粒タンク５は、底面が下窄まり状に形成されており、前部側の後下がり傾斜姿勢の底面が前部側支持枠体６３にて支持され、後部側の後上がり傾斜姿勢の底面が後部側支持枠体６４にて支持されている。前部側支持枠体６３は、脱穀装置４の左右両側部にわたって延び、且つ、左右の上部フレーム６２に載置支持されてボルト連結されている。又、後部側支持枠体６４は、前部側支持枠体６３と同様に、脱穀装置４の左右両側部に亘って延び、且つ、左右の上部フレーム６２に載置支持されている。
【００５６】
後部側支持枠体６４は、側面視で略台形の枠状に形成された左右のタンク用横側支持部６５と、左右のタンク用横側支持部６５同士を連結する左右連結部（図示せず）とが備えられている。左右のタンク用横側支持部６５は夫々、左右の上部フレーム５８に載置支持されている。
【００５７】
エンジン６を支持するエンジン用支持枠体６７は、脱穀装置４の左右両側部にわたって延び、且つ、左右の上部フレーム６２に載置支持されている。エンジン用支持枠体６７には、左右の上部フレーム６２の上側を前後方向に沿って延びる左右の側部縦面部６８とそれらを連結する横向き連結部材（図示せず）等が備えられている。
【００５８】
〔送塵弁〕
扱室２３には、天板３０の内面側に位置して、脱穀処理物を扱胴３４の回転軸芯方向一方側（機体前部側）から他方側（機体後方側）に向けて移送する送塵弁７０が備えられている。図１０，１１に示すように、送塵弁７０は、扱胴３４の前端部に対応する位置から扱胴３４の後方側箇所まで前後に亘って、回転軸芯方向に間隔をあけて並ぶ状態で複数備えられている。複数の送塵弁７０は、夫々、天板３０の内面に取り付けられ、扱胴３４の外周側に位置する状態で螺旋状に延びる状態で備えられている。つまり、送塵弁７０は、扱胴３４の周方向上手側から下手側に向けて位置が異なるほど、扱胴３４の機体後方側に位置が変化するように、扱き歯４８の回転に対して脱穀処理物を機体後方側に移送させるように所定の送り角度を有する状態で備えられている。
【００５９】
複数の送塵弁７０には、夫々、天板３０に位置固定状態で取り付けられた固定送塵弁部分７１と、固定送塵弁部分７１と周方向に隣り合い、且つ、揺動によって送り角度を変更調節可能な可動送塵弁部分７２とが備えられている。図８に示すように、固定送塵弁部分７１が扱胴３４の回転方向上手側に位置し、可動送塵弁部分７２が回転方向下手側に位置する状態で備えられている。又、固定送塵弁部分７１が可動送塵弁部分７２よりも処理物移送方向下手側に位置する状態で、且つ、固定送塵弁部分７１と可動送塵弁部分７２とが周方向に沿って重複する状態で備えられている。
【００６０】
説明を加えると、図８に示すように、固定送塵弁部分７１及び可動送塵弁部分７２は、いずれのものも、天板３０の板面に沿う状態で取付面が連結され、それと直交する状態で延びる送り作用面７４を有する断面略Ｌ字状に構成されている。扱胴３４は、正面視において時計周りで回転するように構成されている。固定送塵弁部分７１の回転方向下手側（図８の右側）箇所において、送り作用面７４だけが延長形成され、可動送塵弁部分７２に対して、処理物移送方向下手側、すなわち、機体前後方向の後側に位置する状態で周方向に重なり合う状態で設けられている。
【００６１】
固定送塵弁部分７１は、右側天板構成体３９の内面に固定される第一固定送塵弁部分７１ａと、左側天板構成体４０のうちの右側に位置する平板状部分４０Ａの内面に固定される第二固定送塵弁部分７１ｂとを備えている。第一固定送塵弁部分７１ａと第二固定送塵弁部分７１ｂと接続箇所においても、可動送塵弁部分７２との重なり合い箇所と同様に、第一固定送塵弁部分７１ａの回転方向下手側（図８の右側）箇所において、送り作用面７４だけが延長形成され、第二固定送塵弁部分７１ｂに対して、処理物移送方向下手側、すなわち、機体前後方向の後側に位置する状態で周方向に重なり合う状態で設けられている。
【００６２】
可動送塵弁部分７２は、左側天板構成体４０のうちの中間に位置する平板状部分４０Ｂの内面に取り付けられている。右側天板構成体３９が固定側対応部分に対応し、左側天板構成体４０が可動側対応部分に対応しており、固定側対応部分が可動側対応部分よりも長く形成されている。しかも、 固定送塵弁部分７１は、固定側対応部分である右側天板構成体３９を超えて周方向に沿って可動側対応部分側へ延長形成されている。
【００６３】
可動送塵弁部分７２は、回転方向上手側端部である第二固定送塵弁部分７１ｂに対する重複箇所が、回動軸芯Ｐ２を中心にして天板３０に回動可能に支持されている。可動送塵弁部分７２の回転方向下手側（第二固定送塵弁７１ｂとは反対側）の端部が調節部材７５を介して手動操作にて揺動角度を変更調節できるように構成されている。
【００６４】
説明を加えると、可動送塵弁部分７２は、回転方向上手側端部が天板３０に対して支軸７６により支持されている。回転方向下手側端部には、調節部材７５がボルト連結されている。調節部材７５は長孔７７の範囲内で手動操作によりスライド操作可能に構成されている（図１１参照）。ボルトを緩めて調節部材７５をスライド操作すると、可動送塵弁部分７２を支軸７６の軸芯Ｐ２（回動支点）周りで揺動させて、脱穀処理物を移送するための送り角度を変更調節することができる。送り角度を変更したのちはボルトを締め付けて位置固定することができる。
【００６５】
〔別実施形態〕
（１）上記実施形態では、天板３０が、扱胴３４の回転軸芯方向に沿って分割された５個の分割天板３６により構成され、さらに、５個の分割天板３６の夫々が、扱胴３４の周方向に沿って分割された２つの天板構成体３９，４０により構成されるものを示したが、この構成に代えて、例えば、４個以下、６個以上の分割天板により構成されるものでもよく、分割天板が３つ以上の天板構成体により構成されるものでもよい。又、複数の分割天板が扱胴３４の周方向に沿って一連に連なる一体的な形状として構成されるものでもよく、天板が扱胴３４の回転軸芯方向に沿って分割されずに、一体的な形態として備えられるものでもよい。
【００６６】
（２）上記実施形態では、受網３５と側壁部２７とが、天板３０と同じ位置で回転軸芯方向に沿って分割され、且つ、天板３０と同じ方向に向けて着脱可能なものを示したが、この構成に代えて、天板３０とは異なる位置で回転軸芯方向に沿って分割されるものでもよく、天板３０とは異なる方向に向けて着脱可能な構成としてもよい。又、受網３５と側壁部２７が分割されない構成としてもよい。
【００６７】
（３）上記実施形態では、穀粒タンク５とエンジン６とが夫々、脱穀装置４の上方に位置する状態で配備される構成としたが、この構成に代えて、穀粒タンク５やエンジン６が脱穀装置４と横並び状態で配備される構成としてもよい。
【産業上の利用可能性】
【００６８】
本発明は、普通型コンバインに限らず自脱型コンバインにも適用できる。
【符号の説明】
【００６９】
４          脱穀装置
５          穀粒タンク
６          エンジン
２３        扱室
２７        側壁
３０        天板
３４        扱胴
３５        受網
３６        分割天板
３８        支持フレーム
３９，４０  天板構成体
５１        分割壁
５３        分割受網
６２        上部フレーム
７０        送塵弁
７１        固定送塵弁部分
７２        可動送塵弁部分
【図１】
2020018180.tif 000003
【図２】
2020018180.tif 000004
【図３】
2020018180.tif 000005
【図４】
2020018180.tif 000006
【図５】
2020018180.tif 000007
【図６】
2020018180.tif 000008
【図７】
2020018180.tif 000009
【図８】
2020018180.tif 000010
【図９】
2020018180.tif 000011
【図１０】
2020018180.tif 000012
【図１１】
2020018180.tif 000013
【図１２】
2020018180.tif 000014